(57)【要約】【課題】プリンタの記録部が装置筐体内部に設置されても記録紙への印刷が余白を広くとることなく行え、記録紙を効率よく使用できるようにする。【解決手段】測定結果、入力された設定データ等を印刷するプリンタ７を備え、このプリンタ７は、ロール状の記録紙７０に印刷する記録部７１と、印刷後の記録紙７０を排出する排紙部７３と、該排紙部７３に設置され記録紙７０を切断するカッター７４と、記録紙７０を送給する送り機構７５とを備え、送り機構７５は、記録部７１で印刷された終端部を排紙部７３のカッター７４より前方に切断可能に紙送りするとともに、紙送りした記録紙７０を逆方向に戻し送りを行ってから、次の印刷を開始し、印刷間の余白ｄを狭くして記録紙７０の有効利用を図る。【選択図】          図４
2004284692.tif 000002
【特許請求の範囲】
【請求項１】
測定結果、入力された設定データ等を印刷する分析装置のプリンタにおいて、
前記プリンタは、ロール状の記録紙に印刷する記録部と、印刷後の記録紙を排出する排紙部と、該排紙部に設置され記録紙を切断するカッターと、記録紙を送給する送り機構とを備え、
前記送り機構は、前記記録部で印刷された終端部を前記排紙部のカッターより前方に切断可能に紙送りするとともに、この紙送りした記録紙を逆方向に所定量戻し送りを行ってから、次の印刷を開始することを特徴とする分析装置のプリンタ。
【請求項２】
前記記録紙の戻し送りは、前記カッターで切断された先端が、記録部に隣接配置されたガイドに支持されている位置で停止することを特徴とする請求項１に記載の分析装置のプリンタ。
【発明の詳細な説明】
【０００１】
【発明の属する技術分野】
本発明は、血液、尿等の検体を、比色タイプの乾式分析素子、電解質タイプなどの乾式分析素子に点着し、検体中の所定の生化学物質の物質濃度、イオン活量等の成分を求める生化学分析装置等の分析装置のプリンタに関するものである。
【０００２】
【従来の技術】
従来より、検体の小滴を点着供給するだけでこの検体中に含まれている特定の化学成分または有形成分を定量分析することのできる比色タイプの乾式分析素子や検体に含まれる特定イオンのイオン活量を測定することのできる電解質タイプの乾式分析素子が開発され、実用化されている。これらの乾式分析素子を用いた生化学分析装置は、簡単かつ迅速に検体の分析を行うことができるので、医療機関、研究所等において好適に用いられている。
【０００３】
比色タイプの乾式分析素子を使用する比色測定法は、検体を乾式分析素子に点着した後、これをインキュベータ内で所定時間恒温保持して呈色反応（色素生成反応）させ、次いで検体中の所定の生化学物質と乾式分析素子に含まれる試薬との組み合わせにより予め選定された波長を含む測定用照射光をこの乾式分析素子に照射してその光学濃度を測定し、この光学濃度から、予め求めておいた光学濃度と所定の生化学物質の物質濃度との対応を表す検量線を用いて該生化学物質の濃度を求めるものである。一方、電解質タイプの乾式分析素子を使用する電位差測定法は、上記の光学濃度を測定する代わりに、同種の乾式イオン選択電極の２個１組からなる電極対に点着された検体中に含まれる特定イオンの活量を、参照液を用いてポテンシオメトリで定量分析することにより求めるものである。
【０００４】
上記いずれの方法においても、液状の検体は検体容器（採血管等）に収容して装置にセットするとともに、その測定に必要な乾式分析素子を装置に搭載し、乾式分析素子を搭載位置から点着部およびインキュベータへ搬送する一方、点着機構の点着ノズルによって検体を搭載位置から点着部へ供給して乾式分析素子へ点着するものである。
【０００５】
上記分析装置においては、測定結果を記録するため、入力された設定データ等を確認するために、これらのデータを印刷するプリンタを備えたものが知られている（例えば、特許文献１参照）。
【０００６】
【特許文献１】
特開２０００−３９４００号公報
【０００７】
【発明が解決しようとする課題】
ところで、上記のような分析装置のプリンタでは、その記録部が装置筐体の内部に設置されている場合には、記録紙の印刷部位と次の印刷部位との間の余白が広くなって記録紙の使用効率が低く無駄に消費する問題があった。
【０００８】
具体的には、分析装置では、精度管理情報、機器仕様設定、ユーザー固有の情報を機器に設定するものであり、これらのデータを操作パネルのキー入力等によって設定した場合に、入力した設定値が機器に正しく設定されたかを判定確認するために、およびその履歴を残すために、さらには測定結果を出力するために、これらの情報を印刷するプリンタが設置されているが、多項目の設定を行う場合、多量の記録紙が必要となる。特に、装置内の記録部の位置と、筐体の記録紙排出位置とが離れている場合には、印刷した内容をユーザーに確認させるためには、記録部から排紙カッターまでの距離に相当する長さだけ、印刷後に記録紙を余計に紙送りしなければならない。そのため、印刷間隔（余白）が広くなり、記録紙を無駄遣いしていた。
【０００９】
本発明はかかる点に鑑み、記録部が装置筐体内部に設置されても記録紙への印刷が余白を広くとることなく行え記録紙を効率よく使用できるようにした分析装置のプリンタを提供することを目的とするものである。
【００１０】
【課題を解決するための手段】
本発明の分析装置のプリンタは、測定結果、入力された設定データ等を印刷する分析装置のプリンタにおいて、
前記プリンタは、ロール状の記録紙に印刷する記録部と、印刷後の記録紙を排出する排紙部と、該排紙部に設置され記録紙を切断するカッターと、記録紙を送給する送り機構とを備え、前記送り機構は、前記記録部で印刷された終端部を前記排紙部のカッターより前方に切断可能に紙送りするとともに、この紙送りした記録紙を逆方向に所定量戻し送りを行ってから、次の印刷を開始することを特徴とするものである。
【００１１】
前記記録紙の戻し送りは、前記カッターで切断された先端が、記録部に隣接配置されたガイドに支持されている位置で停止するのが望ましい。
【００１２】
【発明の効果】
上記のような本発明によれば、ロール状の記録紙に印刷する記録部と、印刷後の記録紙を排出する排紙部と、記録紙を切断するカッターと、記録紙を送給する送り機構とを備えたプリンタで、その送り機構を記録部で印刷された終端部を排紙部のカッターより前方に切断可能に紙送りするとともに、この紙送りした記録紙を逆方向に所定量戻し送りを行ってから、次の印刷を開始するようにしたことにより、記録部が装置筐体の内部に設置されていても記録紙の印刷部位と次の印刷部位との間の余白を狭くすることができ、多項目の設定でも記録紙への印刷が余白を広くとることなく行え記録紙を効率よく使用でき、また、送り制御のみで記録紙を効率的に使用でき、簡素な機構に構成できる。
【００１３】
【発明の実施の形態】
以下、本発明の実施の形態を図面に沿って説明する。この実施形態では生化学分析装置による分析装置の例であり、図１は一実施形態の生化学分析装置の外観を示す斜視図、図２は生化学分析装置の概略機構を示す部分断面正面図、図３は生化学分析装置の要部機構の平面図、図４はプリンタの概略構成図、図５は記録紙の印刷態様を示す図である。
【００１４】
図１〜図３により生化学分析装置１の全体構成を説明する。この生化学分析装置１の機構は、サンプルトレイ２、点着部３、第１のインキュベータ４、第２のインキュベータ５、点着機構６、不図示の素子搬送機構、移送機構８、チップ廃却部９、素子廃却機構１０などを備え、さらに、プリンタ７を備えてなる。
【００１５】
上記機構を備えた生化学分析装置１の外観は、図１のように、全体を囲むように箱状に形成された装置筐体２０の前側上部が左右の前カバー５３，５４で覆われている。左側の前カバー５３の表面には操作パネル５５が設置され、その内部には下部に第１のインキュベータ４、素子廃却機構１０が配設され、透明材料による右側の前カバー５４の内部にはサンプルトレイ２が設置され、サンプルトレイ２と第１のインキュベータ４との間には点着部３、第２のインキュベータ５、移送機構８、チップ廃却部９が配設され、上部には左右に移動する点着機構６が設置されている。
【００１６】
また、筐体２０の上部の左側にプリンタ７が設置され、筐体２０の上面にはプリンタ７の排紙部７３が設けられ、この排紙部７３の排紙口７３ａより、後述のように記録紙７０が排出される。その詳細については後で説明する。一方、筐体２０の上部の右側にはカードリーダ５６が設置されている。
【００１７】
前記サンプルトレイ２は円形で、検体を収容した検体容器１１、未使用の乾式分析素子１２（比色タイプの乾式分析素子および電解質タイプの乾式分析素子）を収容した素子カートリッジ１３、消耗品（ノズルチップ１４、希釈液容器１５、混合カップ１６および参照液容器１７）を搭載する。なお、検体容器１１は検体アダプタ１８を介して搭載され、ノズルチップ１４はチップラック１９に多数収納されて搭載される。
【００１８】
点着部３は、サンプルトレイ２の中心線の延長上に配置され、搬送された乾式分析素子１２に血漿、全血、血清、尿などの検体の点着が行われるもので、点着機構６によって比色測定タイプの乾式分析素子１２には検体を、電解質タイプの乾式分析素子１２には検体と参照液を点着する。この点着部３に続いてノズルチップ１４が廃却されるチップ廃却部９が配置されている。
【００１９】
第１のインキュベータ４は円形で、チップ廃却部９の延長位置に配置され、比色タイプの乾式分析素子１２を収容して所定時間恒温保持し、比色測定を行う。第２のインキュベータ５（図３参照）は、点着部３の側方における隣接位置に配設され、電解質タイプの乾式分析素子１２を収容して所定時間恒温保持し、電位差測定を行う。
【００２０】
不図示の素子搬送機構は、前記サンプルトレイ２の内部に配設され、このサンプルトレイ２の中心と第１のインキュベータ４の中心とを結び、点着部３およびチップ廃却部９を通る直線状の素子搬送経路Ｒ（図３）に沿って、乾式分析素子１２をサンプルトレイ２から点着部３へ、さらに第１のインキュベータ４へ搬送する素子搬送部材（搬送バー）を備える。移送機構８は点着部３を兼ねて設置され、点着部３から第２のインキュベータ５へ、素子搬送経路Ｒと直交する方向に、電解質タイプの乾式分析素子１２を移送する。
【００２１】
点着機構６は上部に配設され、昇降移動する点着ノズル４５が前述の素子搬送経路Ｒと同一直線上を移動し、検体および参照液の点着、希釈液による検体の希釈混合を行う。点着ノズル４５は、先端にノズルチップ１４を装着し、該ノズルチップ１４内に検体、参照液等を吸引し吐出するもので、その吸引吐出を行う不図示のシリンジ手段が付設され、使用後のノズルチップ１４はチップ廃却部９で外されて落下廃却される。
【００２２】
素子廃却機構１０（図３参照）は第１のインキュベータ４に付設され、測定後の比色タイプの乾式分析素子１２を第１のインキュベータ４の中心部に押し出して落下廃棄する。なお、上記素子搬送機構によって廃却することもできる。また、第２のインキュベータ５で測定した後の電解質タイプの乾式分析素子１２は、前記移送機構８によって廃却穴６９に廃棄される。
【００２３】
また、サンプルトレイ２の近傍には、血液から血漿を分離する不図示の血液濾過ユニットが設置されている。
【００２４】
各部の機構を具体的に説明する。まず、サンプルトレイ２は、正転方向および逆転方向に回転駆動される円盤状の回転ディスク２１と、その中央部の円盤状の非回転部２２とを有する。
【００２５】
回転ディスク２１には、図３に示すように、各検体を収容した採血管等の検体容器１１を検体アダプタ１８を介して保持するＡ〜Ｅの５つの検体搭載部２３と、これに隣接して各検体の測定項目に対応して通常複数の種類が必要とされる未使用の乾式分析素子１２を積み重ねた状態で収容した素子カートリッジ１３を保持する５つの素子搭載部２４と、多数のノズルチップ１４を保持孔に並んで収容したチップラック１９を保持する２つのチップ搭載部２５と、希釈液を収容した３つの希釈液容器１５を保持する希釈液搭載部２６と、希釈液と検体とを混合するための混合カップ１６（多数のカップ状凹部が配置された成形品）を保持するカップ搭載部２７とが円弧状に配置されている。
【００２６】
また、非回転部２２には、素子搬送経路Ｒの延長上で点着ノズル４５の移動範囲に、参照液を収容した参照液容器１７を保持する筒状の参照液搭載部２８を備え、この参照液搭載部２８には、参照液容器１７の開口部を開閉する蒸発防止蓋３５（図２）が設置されている。
【００２７】
蒸発防止蓋３５は、下端が非回転部２２に揺動可能に枢支された揺動部材３７に保持され、閉方向に付勢されている。揺動部材３７の上端係止部３７ａが点着機構６の移動フレーム４２の下端角部４２ａと当接可能であり、参照液の吸引時に近接移動した移動フレーム４２により揺動部材３７が開方向に揺動され、蒸発防止蓋３５が参照液容器１７を開口して点着ノズル４５による参照液吸引が可能となる。その他の状態では蒸発防止蓋３５が参照液容器１７の開口部を閉塞して参照液の蒸発を防止し、その濃度変化による測定精度の低下を阻止する。
【００２８】
前記回転ディスク２１は、外周部が支持ローラ３１で支持され、中心部が不図示の支持軸に回転自在に保持されている。また、回転ディスク２１の外周には、不図示のタイミングベルトが巻き掛けられ、駆動モータによって正転方向または逆転方向に回転駆動される。非回転部２２は上記支持軸に回転不能に取り付けられている。
【００２９】
前記素子カートリッジ１３は、上方から未使用の乾式分析素子１２が混在状態で通常複数枚重ねられて挿入され、前記素子搭載部２４に装填されると、素子搬送面と同一高さに最下端部の乾式分析素子１２が位置し、最下端部の前面側には１枚の乾式分析素子１２のみが通過し得る開口が、後面側には素子搬送部材が挿通可能な開口が形成されている。なお、乾式分析素子１２の下面に付設されたバーコード等によるロット番号などが素子カートリッジ１３の下方から読み取れるように底面に窓部が形成されている。
【００３０】
また、前記検体アダプタ１８は筒状に形成され、上部から検体容器１１が挿入される。この検体アダプタ１８は、不図示の識別部を有し、検体の種類（処理情報）、検体容器１１の種類（サイズ）等の情報が設定され、測定の初期時点でサンプルトレイ２の外周部に配設された識別センサ３０（図３）によってその識別が読み取られ、検体の希釈の有無、血漿濾過の有無などが判別されると共に、検体容器１１のサイズに伴う液面変動量が算出され、それに応じた処理制御が行われる。血漿濾過が必要な検体容器１１に対しては、アダプタ１８に検体容器１１を挿入した上に、濾過フィルターを備えたホルダーがスペーサ（いずれも不図示）を介して装着される。
【００３１】
点着部３および移送機構８は、サンプルトレイ２と第１のインキュベータ４との間に素子搬送経路Ｒと直交する方向に長い支持台６１を備え、その上に移動可能に摺動枠６２が設置されている。この摺動枠６２には、点着用開口が形成された第１素子押え６３および第２素子押え６４が隣接して一体に移動可能に装着されている。第１素子押え６３（第２素子押え６４も同様）は、支持台６１に面する底面に、前記素子移動経路Ｒに沿って乾式分析素子１２が通過する凹部を有する。また、摺動枠６２は、一端部がガイドバー６５に案内され、他端部側の長溝６２ａにピン６６が係合され、さらに、ラックギヤ６２ｂに駆動モータ６８の駆動ギヤ６７が噛合して移動される。支持台６１には、第２のインキュベータ５および廃却穴６９が設置されている。
【００３２】
そして、図３のように、第１素子押え６３が点着部３に位置している際には、点着後の比色タイプの乾式分析素子１２は素子搬送機構によって押し出されて第１のインキュベータ４に移送される。一方、電解質タイプの乾式分析素子１２への点着が行われると、摺動枠６２が移動されて点着後の乾式分析素子１２は第１素子押え６３に保持されたまま支持台６１上を滑るように第２のインキュベータ５に移送され、電位差測定が行われる。その際には、第２素子押え６４が点着部３（点着位置）に移動し、その後に搬送される比色タイプの乾式分析素子１２に対する検体の点着および第１のインキュベータ４への搬送が可能である。第２のインキュベータ５での測定が完了すると、摺動枠６２がさらに移動されて測定後の乾式分析素子１２を廃却穴６９に移送して落下廃却する。
【００３３】
なお、比色タイプの乾式分析素子１２を搬送する際には第２素子押え６４を点着部３に移動させておき、電解質タイプの乾式分析素子１２が搬送されるときのみ、第１素子押え６３を点着部３に移動させるようにしてもよい。
【００３４】
点着機構６（図２）は、固定フレーム４０の水平ガイドレール４１に、横方向に移動可能に保持された移動フレーム４２を備え、この移動フレーム４２に昇降移動可能に２本の点着ノズル４５が設置されている。移動フレーム４２には中央に縦ガイドレール４３が固着され、この縦ガイドレール４３の両側に２つのノズル固定台４４が摺動自在に保持されている。ノズル固定台４４の下部には、それぞれ点着ノズル４５の上端部が固着され、上部に上方に延びる軸状部材が駆動伝達部材４７に挿通されている。ノズル固定台４４と駆動伝達部材４７との間に介装された圧縮バネにより、ノズルチップ１４の嵌合力を得るようになっている。ノズル固定台４４は駆動伝達部材４７と一体に上下移動可能であると共に、点着ノズル４５の先端部にノズルチップ１４を嵌合する際に、圧縮バネの圧縮でノズル固定台４４に対して駆動伝達部材４７が下降移動可能である。上記駆動伝達部材４７は、上下のプーリ４９に張設されたベルト５０に固定され、不図示のモーターによるベルト５０の走行に応じて上下移動する。なお、ベルト５０の外側部位には、バランスウェイト５１が取り付けられ、非駆動時の点着ノズル４５の下降移動が防止される。
【００３５】
また、移動フレーム４２は不図示のベルト駆動機構によって横方向に駆動され、２つのノズル固定台４４は独自に上下移動するように、その横移動および上下移動が制御され、２つの点着ノズル４５は、一体に横移動すると共に、独自に上下移動するようになっている。例えば、一方の点着ノズル４５は検体用であり、他方の点着ノズル４５は希釈液用および参照液用である。
【００３６】
両点着ノズル４５は棒状に形成され、内部に軸方向に延びるエア通路が設けられ、下端にはピペット状のノズルチップ１４がシール状態で嵌合される。この点着ノズル４５にはそれぞれ不図示のシリンジポンプ等に接続されたエアチューブが連結され、吸引・吐出圧が供給される。また、この吸引圧力の変化に基づき検体等の液面検出が行えるようになっている。
【００３７】
チップ廃却部９は、搬送経路Ｒを上下方向に交差して設けられ、上部材８１および下部材８２を備える。このチップ廃却部９における支持台６１には、楕円形に開口された落下口８３が形成されている。上部材８１は支持台６１の上面に固着され、落下口８３の直上部位には係合切欠き８４が設けられ、下部材８２は支持台６１の下面に落下口８３の下方を囲むように筒状に形成され、落下するノズルチップ１４をガイドするようになっている。
【００３８】
そして、ノズルチップ１４が装着されている点着ノズル４５を、上部材８１内に下降させてから横方向に移動させ、その係合切欠き８４にノズルチップ１４の上端を係合してから、点着ノズル４５を上昇移動させてノズルチップ１４を抜き取り、外れたノズルチップ１４は落下口８３を通して落下廃却される。
【００３９】
比色測定を行う第１のインキュベータ４は、外周部に円環状の回転部材８７を備え、この回転部材８７は内周下部に固着された傾斜回転筒８８が下部のベアリング８９に支持されて回転自在である。回転部材８７の上部に上位部材９０が一体に回転可能に配設されている。上位部材９０の底面は平坦であり、回転部材８７の上面には円周上に所定間隔で複数（図２の場合１３個）の凹部が形成されて両部材８７，９０間にスリット状空間による素子室９１が形成され、この素子室９１の底面の高さは搬送面の高さと同一に設けられている。また、傾斜回転筒８８の内孔は測定後の乾式分析素子１２の廃却孔９２に形成され、素子室９１の乾式分析素子１２がそのまま中心側に移動されて落下廃却される。
【００４０】
上位部材９０には図示しない加熱手段が配設され、その温度調整によって素子室９１内の乾式分析素子１２を所定温度に恒温保持する。また上位部材９０には素子室９１に対応して乾式分析素子１２のマウントを上から押えて検体の蒸発防止を行う不図示の押え部材が配設されている。上位部材９０の上面には保温カバー９４が配設される一方、この第１のインキュベータ４は全体が遮光カバー９５によって覆われる。さらに、回転部材８７の各素子室９１の底面中央には測光用の開口９１ａが形成され、この開口９１ａを通して図２に示す位置に配設された測光ヘッド９６による乾式分析素子１２の反射光学濃度の測定が行われる。第１のインキュベータ４の回転駆動は、不図示のベルト機構により行われ、往復回転駆動される。
【００４１】
廃却機構１０は、外周側から中心方向に素子室９１内に進退移動する廃却バー１０１を備えている。この廃却バー１０１は後端部が水平方向に走行するベルト１０２に固定され、駆動モータ１０３の駆動によるベルト１０２の走行に応じ、素子室９１から測定後の乾式分析素子１２を押し出して廃却する。なお、廃却孔９２の下方には測定後の乾式分析素子１２を回収する回収箱が配設される。
【００４２】
また、イオン活量を測定する第２のインキュベータ５は、前述の摺動枠６２の第１素子押え６３が上位部材となり、その底部の凹部によって測定本体９７の上面との間に１つの素子室が形成される。この第２のインキュベータ５には、図示しない加熱手段が配設され、その温度調整によって乾式分析素子１２のイオン活量を測定する部分を所定温度に恒温加熱する。さらに、測定本体９７の側辺部にはイオン活量測定のための３対の電位測定用プローブ９８が出没して乾式分析素子１２のイオン選択電極に接触可能に設けられている。
【００４３】
なお、不図示の血漿濾過ユニットは、サンプルトレイ２に保持された検体容器１１（採血管）の内部に挿入され上端開口部に取り付けられたガラス繊維からなるフィルターを有する不図示のホルダーを介して血液から血漿を分離吸引し、ホルダー上端のカップ部に濾過された血漿を保持するようになっている。
【００４４】
上記のような生化学分析装置１の動作、測定条件の設定等は、筐体２０に設置された前記操作パネル５５からの入力によって行われる。この操作パネル５５（インターフェース）は、表示画面、スタートキー、ストップキー、検体キー、消耗品キー、手動キー、緊急キー、キャリブレーションキー、テンキー、印刷キーなど、指先で押して各種の指示操作を行う操作キーが配設されている。この操作パネル５５は、不図示の制御系に接続され、そこに登録されている制御プログラムに基づく測定処理が設定され、自動測定動作、手動測定動作、緊急測定動作、キャリブレーション動作、印刷動作などが選択実行されるようになっている。
【００４５】
また、生化学分析装置１では、その測定のためには、予め精度管理情報、機器仕様設定、ユーザー固有の情報を機器に設定するものであり、これらのデータが上記操作パネル５５のキー入力等によって設定される。
【００４６】
そして、上記キー入力した設定値が機器に正しく設定されたかを判定確認するために、およびその履歴を残すために、さらには測定結果を出力記録するために、これらの情報をプリンタ７によって印刷する。このプリンタ７による印刷は、操作パネル５５の印刷キーを操作すると、印刷メニューが表示され、印刷項目を選択してスタートキーを押すと印刷が開始され、印刷終了に伴って所定量だけ記録紙７０（図４参照）が紙送りされて印刷部位が排紙口７３ａより排紙され、印刷内容の確認および切断が行えるようになっている。
【００４７】
さらに、上記プリンタ７では、次の印刷開始時には、前回の印刷完了時の紙送りされた記録紙７０を、逆方向に戻し送りを行ってから、次の印刷を開始するように構成されている。
【００４８】
前記プリンタ７の構造は、図４に示すように、ロール状の記録紙７０に印刷する記録部７１と、ロール状の記録紙７０を保持する給紙部７２と、印刷後の記録紙７０を排出する排紙部７３と、排紙部７３に設置され記録紙７０を切断するカッター７４と、記録紙７０を送給する送り機構７５とを備え、フレーム７６に支持されている。
【００４９】
図示の場合の記録部７１はサーマルヘッドで構成され、送り機構７５は正逆回転するプラテンローラで構成され、このサーマルヘッド７１とプラテンローラ７５の間を給紙部７２より繰り出された記録紙７０が通り、サーマルヘッド７１の発熱部が不図示の制御部からの信号に応じたパターンに発熱し、プラテンローラ７５の送り駆動によって記録紙７０が送られて順に印刷する。印刷後の記録紙７０は排紙口７３ａに向けて斜めに形成されたガイド７３ｂに沿って排紙部７３に導かれ、この排紙部７３の排紙口７３ａより装置筐体２０の外部に排出される。排紙部７３には前記カッター７４が設置され、排出された記録紙７０が切断可能である。
【００５０】
そして、前記送り機構７５は、記録部７１で印刷された終端部を排紙部７３の排紙口７３ａより繰り出して、印刷内容の確認およびカッター７４で切断できるように、正転駆動して紙送り量Ｄ（最小紙送り量）で紙送りする一方、逆転駆動して繰り出した記録紙７０を逆方向に戻し送りを行うようにその動作が制御される。この戻し送りの際、図５に示すように、記録紙７０における前回の印刷部Ｐ１の終端位置から、次の印刷部Ｐ２の開始位置までに長さｄの余白ができるように、上記紙送り量Ｄから余白長さｄを引いた（Ｄ−ｄ）だけ戻し送りを行うものである。なお、戻し送りを行わないと、余白の長さは上記紙送り量Ｄとなる。
【００５１】
また、この戻し送りを行った際に、前記カッター７４で切断された記録紙７０の先端が、ガイド７３ｂ上に位置するように戻し量すなわち余白ｄが設定される。先端がガイド７３ｂに掛かっていないと、カールしている記録紙７０はガイド７３ｂの下方を通過して、印刷時および印刷後の紙送りによってプラテンローラ７５に巻き付いて排出不能となる。
【００５２】
本実施形態によれば、プリンタ７による記録紙７０への印刷は、先の印刷部Ｐ１と後の印刷部Ｐ２との間の余白ｄが、記録部７１（サーマルヘッド）の印刷位置からカッター７４までの距離（紙送り量Ｄ）より狭くなり、記録部７１が装置筐体２０の内部に設置されていても余白を狭くして記録紙７０を効率よく使用できる。
【００５３】
なお、前記記録部７１はサーマルヘッドによる感熱印刷のほか、インクジェット方式などで印刷するように構成してもよい。
【図面の簡単な説明】
【図１】本発明の一実施形態の生化学分析装置の外観を示す斜視図
【図２】生化学分析装置の概略構成を示す部分断面正面図
【図３】生化学分析装置の要部機構の平面図
【図４】プリンタの概略構成図
【図５】記録紙の印刷態様を示す図
【符号の説明】
１    分析装置（生化学分析装置）
２    サンプルトレイ
３    点着部
６    点着機構
７    プリンタ
１１    検体容器
１２    乾式分析素子
５５    操作パネル
７０    記録紙
７１    記録部（サーマルヘッド）
７２    給紙部
７３    排紙部
７３ａ    排紙口
７３ｂ    ガイド
７４    カッター
７５    送り機構（プラテンローラ）
ｄ    余白
Ｄ    紙送り量
【図１】
2004284692.tif 000003
【図２】
2004284692.tif 000004
【図３】
2004284692.tif 000005
【図４】
2004284692.tif 000006
【図５】
2004284692.tif 000007